【事件の表示】
　平成１１年特許願第２０４３６３号「パチンコ機の表示装置」拒絶査定に対する審判事件［平成１２年　１月２５日出願公開、特開２０００−　２４２２０］について、次のとおり審決する。
【結　論】
　本件審判の請求は、成り立たない。
【理　由】
１．手続の経緯・本願発明
　本願は、平成１年５月１６日の出願である特願平１−１２１９９０号の一部を分割した特願平７−１８０８８７号を、更に特願平１０−１６１３２号として分割し、更に特願平１１−２０４３６３号として分割したものであって、その請求項１に係る発明は、平成１１年８月１８日付け手続補正書により補正された明細書及び図面の記載からみて、その特許請求の範囲の請求項１に記載されたとおりのものであると認める。
「【請求項１】特定入賞口への入賞に伴って所定の図柄をドットマトリクス型ディスプレイ上に可変表示する表示装置において、表示装置のケーシングはカバー部材を有し、このケーシングとカバー部材との間に、少なくとも縦方向に関しては前記図柄を複数段に表示しうる連続した表示領域が設定されてなるディスプレイと、このディスプレイの後部に配置されかつ電気的に関連付けられた基板とを組み込んで全体をユニット化するとともに、前記カバー部材には切り欠きを設け、かつこの切り欠きを介して前記基板とコネクタ接続することを特徴とするパチンコ機の表示装置。」（以下、「本願発明」という。）
２．引用例
　これに対して、原査定の拒絶の理由に引用した、特開昭６２−１１７５７９号公報（以下、「引用例１」という。）には、
「第１７図〜第２０図を参照して、入賞玉装置３０６は、取付基板３４２の上側部分に３つのディジタル表示器を備えている。このうち左右両側のディジタル表示器３４４ａおよび３４４ｂは、可変入賞球装置３０８の開閉板３１０開閉に関与する開成開始用ディジタル表示器である。また、中央のディジタル表示器３４６は、第２の実施例におけるディジタル表示器２４４（第１０図参照）と同じ機能を果たすもので、可変入賞球装置３０８の開閉板３１０が開成中に入賞口に入賞したパチンコ玉数を表示するためのテンカウントディジタル表示器である。
　入賞玉装置３０６は、取付基板３４２の下側部分中央に回転ロータ３４８を備えている。回転ロータ３４８は駆動モータ３５０で常に比較的ゆっくりとした速度で回転されている。・・・入賞孔３５８へ入賞したパチンコ玉は、表示変化検出スイッチ３４０で検出され、入賞孔３６０へ入賞した玉は表示変化検出スイッチ３３８（第１６図参照）で検出される。そして、これら検出スイッチの出力は制御回路（図示せず）に与えられ、制御回路は次のように動作する。すなわち、パチンコ玉が入賞孔３５８に入賞して、表示変化検出スイッチ３４０の出力が与えられたとき、制御回路は、ディジタル表示器３４４ｂの表示値を「１」インクリメントする。また、パチンコ玉が入賞孔３６０に入賞し、表示変化検出スイッチ３３８から出力が与えられたときは、制御回路は、ディジタル表示器３４４ａを「１」インクリメントする。このように、パチンコ玉が入賞孔３５８に入賞するか入賞孔３６０に入賞するかにより、ディジタル表示器３４４ｂまたは３４４ａの表示値が＋１されていく。そして、この表示値は、「０」から「９」へと順次サイクリックに変化する。通常、初期状態のときには、たとえばディジタル表示器３４４ａの表示値が「１」で、ディジタル表示器３４４ｂの表示値が「６」とされている。・・・なお、ディジタル表示器３４４ａ，３４４ｂ，３４６の周囲には、前面飾板３６４が設けられ、必要に応じて発光ＬＥＤが埋設されている。これら発光ＬＥＤは第２の実施例と同様に、入賞玉数や入賞回数等に関連する値を表示するようにできる。
　さらに、入賞玉装置３０６の最上部には、通常の入賞口を増加する目的で、入賞口３６６ａ，３６６ｂおよび入賞口にパチンコ玉を導くための玉誘導樋３６８ａ，３６８ｂが備えられている。
　なお、第１９図において、３７０はカバー部材、カバー部材３７０に設けられた３７２は接続用コネクタを多数備える中継基板であり、この中継基板には制御回路からの信号が与えられる。また、３７４ａ，３７４ｂは遊技効果を盛り上げるためのランプである。また、第２０図において、３７８は前面飾り板、３８０はガラス板、３８２は障害釘、３７６は装飾用ＬＥＤを示している。
　第２１図および第２２図は、上記説明した入賞玉装置３６の構造の理解を助けるために描いた図であり、第２１図は入賞玉装置３０６の斜視図、第２２図はその分解斜視図である。第２２図において、３８４はロータガイド部材、３８６，３８８は入賞玉集合カバー、３９０，３９２はランプである。」（第１３頁右下欄５行〜第１５頁右上欄１行）、
　と記載されている。
　また、第２２図を参照すると、様々な部品が取付基板３４２に取り付けられるようにされており、第１７〜第２１図のような入賞玉装置３０６として全体が一つに組み立て可能にされているものと認められる。ディジタル表示器３４４ａ，ｂ等の後部にこれらを取り付けるための板が記載されており（以下、この板を取付板という。）、この取付板にディジタル表示器３４４ａ，ｂ等の接続用導線がカバー部材３７０の開口から外部に出ている。
　そうすると、上記の記載、および第１７〜２２図の記載によれば、引用例１には、
「入賞孔３５８，３６０に入賞することにより可変表示する複数のディジタル表示器を備える入賞玉装置３０６において、入賞玉装置３０６の取付基板３４２はカバー部材３７０を有し、取付基板３４２とカバー部材３７０との間にディジタル表示器と、このディジタル表示器の後部に配置された取付板とを設け、全体を一つに組み立て可能にすると共に、カバー部材３７０には開口が設けられており、この開口を介して接続用導線が外部に出ているパチンコ機の入賞玉装置。」が記載されている。（以下、「引用発明」という。）
　同じく原査定の拒絶の理由に引用した、実願昭６１−１０１８４５号（実開昭６３−８０７６号）のマイクロフィルム（以下、「引用例２」という。）には、
　遊技盤５に取り付けられる可変表示装置２０の裏面に接続端子２０ａが形成されると共に、被覆カバー６７の中央に配線接続用の開口６８を設け、前記接続端子２０ａと制御基板８０とを接続できるように構成したパチンコ機の配線処理構造が記載されている。
３．対比
　本願発明と引用発明とを対比すると、引用発明の「入賞孔３５８，３６０」、「取付基板３４２」、「カバー部材３７０」、「ディジタル表示器」、「取付板」、「開口」は、各々本願発明の「特定入賞口」、「ケーシング」、「カバー部材」、「ディスプレイ」、「基板」、「切り欠き」に相当するものと認められる。
　また、上記引用発明の「入賞玉装置３０６」は入賞玉機構を備える表示装置とみることができる（引用例１の第２実施例は可変表示装置に関するものである）から、本願発明と引用発明は、
「特定入賞口への入賞に伴って所定の図柄をディスプレイ上に可変表示する表示装置において、表示装置のケーシングはカバー部材を有し、このケーシングとカバー部材との間に、前記図柄を表示しうる表示領域が設定されてなるディスプレイと、このディスプレイの後部に配置されかつ電気的に関連付けられた基板とを組み込んで全体をユニット化するとともに、前記カバー部材には切り欠きを設け、かつこの切り欠きを介して前記基板とコネクタ接続するパチンコ機の表示装置。」である点で一致し、
１）本願発明が、ドットマトリクス型ディスプレイであり、少なくとも縦方向に関しては前記図柄を複数段に表示しうる連続した表示領域が設定されてなるディスプレイであるのに対し、引用発明は、複数のディジタル表示器である点、
２）本願発明が、カバー部材には切り欠きを設け、かつこの切り欠きを介して基板とコネクタ接続するのに対し、引用発明は、切り欠きを介して接続用導線が外部に出ている点、
３）本願発明が、パチンコ機の表示装置であるのに対し、引用発明は入賞玉機構を備えたパチンコ機の表示装置である点、
　で相違しているものと認められる。
４．当審の判断
　上記相違点について検討する。
１）の点について
　パチンコ機を含む遊技機の分野において、その表示にドットマトリックスを用いることは周知（特開昭６４−５６０８４号公報、実願昭６２−１５６５６１号（実開平１−６２８８１号）のマイクロフィルム、特開昭６０−２１７８４号公報、特公昭６２−５６３７号公報参照）であるので、図柄の表示にドットマトリックスを用いることは当業者が容易に採用しえる程度のことである。また、表示領域を複数段に表示しうる連続した表示領域とすることは、遊技機において図柄の表示を行うに際し、複数段に渡って表示することが周知（上記特開昭６４−５６０８４号公報、特開昭６４−２２２７１号公報、実願昭５９−１６６７０５号（実開昭６１−８２６８７号）のマイクロフィルム参照）であるので、表示器としてドットマトリックスを採用する際の設計的事項程度のことというべきである。
２）の点について
　接続の手段として、コネクタを用いて接続することは周知のことであり、また上記引用例２にはパチンコ機の表示基板に接続用の端子を設け、それを被覆カバーの開口から出して接続させる点が記載されているので、引用発明のものにおいて、接続用導線の代わりにコネクタを用いることは当業者が容易に想到しえる程度のことである。
３）の点について
　本願発明の表示装置について、その実施例（例えば図６）を参照すると、入賞口１１や風車４６ａ〜４６ｄを取り付けており、本願発明のものも付属物（入賞口など）を表示器と共に組み込んでいることが認められる。そうすると、引用発明のように入賞玉機構を備えたパチンコ機の表示装置と実質的に相違するところはない。また、この点を相違点とみたとしても、どの程度付属物を表示器と共に組み込むかは設計的事項程度のことであるので、引用発明において、入賞玉機構を除くことは当業者が容易に想到しえる程度のことというべきである。
　また、本願発明のように構成することによって、格別な効果を奏するようになったものということもできない。
５．むすび　　
　したがって、本願発明は、引用例１、２に記載された発明、及び上記周知技術に基づいて、当業者が容易に発明をすることができたものであるから、特許法第２９条第２項の規定により、特許を受けることができない。
　よって、結論のとおり審決する。